(57)【要約】【課題】蓋を閉じた時には持ち運び時の振動等によって蓋と容器本体との気密性が損なわれることがなく、確実に気密保持ができるものでありながら、蓋を開くときは比較的小さな力で簡単に開くことができ、使い勝手を良くすること。【解決手段】上端が開口したプラスチック製の容器本体２と、該容器本体２の上端開口２ａに着脱自在に被冠されるプラスチック製の蓋３とからなる蓋付き容器１である。蓋３の周縁部３ｂを容器本体２の開口縁２ｂに上から嵌め込んだ状態で、蓋３の周縁部３ｂ内面に設けた係合部５を容器本体２の外周面２ｃの周方向に部分的に設けた被係合部６に係合させることで、蓋３の周縁部３ｂと容器本体２の開口縁２ｂとの隙間Ｓが気密保持される構成とし、且つ、蓋３の回転により係合部５と被係合部６との係合が解除される構成とした。【選択図】　　　　図１
2004123172.tif 000002
【特許請求の範囲】
【請求項１】
上端が開口したプラスチック製の容器本体と、該容器本体の上端開口に着脱自在に被冠されるプラスチック製の蓋とからなる蓋付き容器であって、蓋の周縁部を容器本体の開口縁に上から嵌め込んだ状態で、蓋の周縁部内面に設けた係合部を容器本体の外周面の周方向に部分的に設けた被係合部に係合させることで、蓋の周縁部と容器本体の開口縁との隙間が気密保持されると共に、蓋の回転により係合部と被係合部との係合が解除される構成となっていることを特徴とする蓋付き容器。
【請求項２】
係合部と被係合部のいずれか一方が凹みからなり、いずれか他方が該凹みに嵌り込む突起からなり、突起の少なくとも平面視で回転方向の両側面を、先端にいく程平面視で薄肉となるようにそれぞれ傾斜させたことを特徴とする請求項１記載の蓋付き容器。
【請求項３】
凹みの平面視で回転方向の両側方に、蓋を回転させる外力が一定以上を越えない場合において突起の回転を阻止するための一対の側方突部を設けたことを特徴とする請求項２記載の蓋付き容器。
【発明の詳細な説明】
【０００１】
【発明の属する技術分野】
本発明は、蓋付き容器に関し、詳しくは、蓋を閉じた時は蓋と容器本体との気密性が高く維持され、蓋を開くときは比較的簡単に開くことができるようにするための技術に関するものである。
【０００２】
【従来の技術】
従来、気密性を要する容器には、ねじ式のキャップ、圧入式のキャップが広く使用されている。ねじ式のキャップは一般に、容器の雄ねじに適合する雌ねじが内面に形成されおり、閉じ方向に回転させて容器の口部に装着し、容器を気密に閉じることができる。また、容器を開けるときは、キャップを開き方向に回転させて口部から取り外せばよい。一方、圧入式のキャップは容器の口部に圧接しながら嵌め込まれる筒状部が設けられ、キャップを強く押し込むだけで容器を気密に閉じることができるものがあり、さらに押圧リングを圧入することで高気密とするものもある（例えば、特許文献１参照）。
【０００３】
【特許文献１】
特開平８−５３１３５号公報
【０００４】
【発明が解決しようとする課題】
ところが、従来のねじ式のキャップは、雄ねじと雌ねじとを介して口部に装着されているだけであるから、持ち運び時の振動等によって僅かながらもねじが緩んで気密を維持できなくなるという問題があった。一方、圧入式のキャップでは、キャップを抜き取るときに指でキャップ等を摘んで大きな力を加えて引き抜く必要があり、また上記特許文献１に見られるような押圧リングを圧入する構造においても同様であり、使い勝手が悪いものであった。
【０００５】
本発明は、上記の従来例の問題点に鑑みて発明したものであって、その目的とするところは、蓋を閉じた時には持ち運び時の振動等によって蓋と容器本体との気密性が損なわれることがなく、確実に気密保持ができるものでありながら、蓋を開くときは比較的小さな力で簡単に開くことができ、使い勝手に優れた蓋付き容器を提供することにある。
【０００６】
【課題を解決するための手段】
上記課題を解決するために本発明にあっては、上端が開口したプラスチック製の容器本体２と、該容器本体２の上端開口２ａに着脱自在に被冠されるプラスチック製の蓋３とからなる蓋付き容器であって、蓋３の周縁部３ｂを容器本体２の開口縁２ｂに上から嵌め込んだ状態で、蓋３の周縁部３ｂ内面に設けた係合部５を容器本体２の外周面２ｃの周方向Ｄに部分的に設けた被係合部６に係合させることで、蓋３の周縁部３ｂと容器本体２の開口縁２ｂとの隙間Ｓが気密保持されると共に、蓋３の回転により係合部５と被係合部６との係合が解除される構成となっていることを特徴としており、このように構成することで、蓋３を容器本体２の開口縁２ｂに嵌め込むことで係合部５と被係合部６とが係合して蓋３を容器本体２から外れないように確実に係止させることができ、蓋３の周縁部３ｂと容器本体２の開口縁２ｂとの隙間Ｓをシール部材１３等によって気密保持可能となる。また蓋３を回転させるだけで係合部５と被係合部６との係合が解除されるため、従来のような圧入式のキャップのように大きな力でキャップを引き抜く場合と比較して、蓋３の取り外しが楽になる。
【０００７】
また上記係合部５と被係合部６のいずれか一方が凹み７からなり、いずれか他方が該凹み７に嵌り込む突起８からなり、突起８の少なくとも平面視で回転方向Ｅの両側面８ａを、先端にいく程平面視で薄肉となるようにそれぞれ傾斜させるのが好ましく、この場合、傾斜によって蓋３を回転させる外力が一定以下のときは突起８の回転を阻止でき、蓋３を回転させる外力が一定以上のときは突起８の回転を許容できる構造とすることができる。
【０００８】
また上記凹み７の平面視で回転方向Ｅの両側方に、蓋３を回転させる外力が一定以上を越えない場合において突起８の回転を阻止するための一対の側方突部９を設けるのが好ましく、この場合、持ち運び時の振動等によって突起８が凹み７から外れるのを防止でき、蓋３の気密状態が保持されると共に、意識的に外力を加えて蓋３を回すことにより、突起８は側方突部９を越えて凹み７から外れることができる。
【０００９】
【発明の実施の形態】
以下、本発明を添付図面に示す実施形態に基づいて説明する。
【００１０】
本実施形態では蓋付き容器１の一例として、舞たけの栽培に用いる舞たけ菌床容器１Ａを例示する。
【００１１】
本発明者は、舞たけ発生にとって必要な条件として水以外に空気の供給が不可欠であり、栄養源が十分に分解されるためには十分な空気が培地に供給されなければならないとの知見を持っている。さらに本発明者の実験によれば、舞たけを真上に向かって多数重なり合った状態で成長させるためには、空気の供給方向を菌床の真上に設定することが極めて重要であることを見い出した。本発明は、これらの知見及び実験に基づいて、蓋３の周縁部３ｂと容器本体２の開口縁２ｂとの隙間Ｓから空気が供給されることを防止し、容器本体２の上方向のみから空気を供給できるようにすることが極めて有効であることを明らかにし、舞たけの栽培に用いられる蓋付き容器１（以下、「舞たけ菌床容器１Ａ」という。）を完成するに至ったものである。
【００１２】
即ち、本発明品の舞たけ菌床容器１Ａは、図１〜図３に示すように、上部が開口した有底状のプラスチック製の容器本体２と、容器本体２の上端開口２ａに着脱自在に被冠されるプラスチック製の蓋３と、蓋３に設けた通気用開口３ａの上方Ｇを覆うと共に通気用開口３ａと外気との連通状態を確保するための外蓋４と、蓋３を容器本体２に対して係合させる機構と、シール部材１３等を備えている。
【００１３】
舞たけの菌床（図示せず）は、容器本体２内部に充填されて、蓋３及び外蓋４にて閉じられるが、菌床上に植菌された菌糸は空気の供給される方向に向かって盛りあがり、繁殖、生長して塊状となる。このとき容器本体２の開口縁２ｂと蓋３の周縁部３ｂとの間に隙間Ｓがあると、この隙間Ｓから空気が入り、菌糸の生長方向が横方向Ｈ（図１）に広がってしまうこととなる。そこで本発明では、菌糸を真上に成長させるために、蓋３の中央に通気用開口３ａを設け、この通気用開口３ａを蓋３と外蓋４との間に設けられた通気通路１２（図１）を経由して外蓋４の外周側において外気に連通させることで、空気の入る方向を容器本体２の上方Ｇのみとする。そのために、蓋３の周縁部３ｂと容器本体２の開口縁２ｂとの隙間Ｓは、弾性材で形成した環状のシール部材１３と、蓋３を容器本体２に対して係合させる機構とによって気密に保持される。シール部材１３は蓋３と容器本体２との係合状態で圧潰れして隙間Ｓを閉鎖し、これにより隙間Ｓを気密にするものであり、これによって舞たけの生育に最適な所定の通気状態は蓋３の中央に設けた通気用開口３ａのみによって維持されるようになる。なおシール部材１３は蓋３とは別体としたが、蓋３又は容器本体２の開口縁２ｂに一体化されていてもよい。
【００１４】
次に、蓋３を容器本体２に対して係合させる機構を説明する。本例では、図１に示すように、蓋３の周縁部３ｂ全周に亘って筒状の垂下片１４が一体に垂設している。垂下片１４の内面には、図５〜図７に示すように、その周方向Ｄに間隔をあけて複数の凹み７が設けられており、一方、容器本体２の外周面２ｃには、図８に示すように、その周方向Ｄに間隔をあけて複数の突起８が設けられている。
【００１５】
ここで、容器本体２側に設けられる複数の突起８は同じ形状をしている。各突起８の上面８ｃは、図９に示すように、先端に向かって下り傾斜した誘い込み面１０となっている。この誘い込み面１０は後述のように蓋３を押し込み式で嵌め込む場合において、蓋３の凹み７の底面７ａ部分が突起８の上面８ｃを乗り越え易くする働きをする。また突起８の下面８ｂは水平面となっており、凹み７の底面７ａに設けた抜け止め部１１が確実に係合されるようになっている。さらに、突起８の平面視で回転方向Ｅの両側面８ａは、図４に示すように、先端にいく程平面視で薄肉となるようにそれぞれ傾斜している。ここでは突起８の平面視形状は台形状とされているが、もちろんこれには限定されず、半円弧形状、或いは三角形状などであってもよく、要は平面視で先端にいく程薄肉となるように傾斜していればよいものである。
【００１６】
一方、蓋３側に設けられる複数の凹み７は、同じ形状をしている。各凹み７の平面視で回転方向Ｅの両側方には、図４に示すように、一対の側方突部９が設けられている。各側方突部９は、蓋３を回転させる外力が一定以上を越えない場合において凹み７に対する突起８の回転を阻止する働きをする。また、凹み７の底面７ａは側方突部９の内端面よりもさらに内方Ｆに突出した抜け止め部１１となっており、この抜け止め部１１は突起８の下面８ｂに当接して蓋３が上方Ｇに外れるのを阻止する働きをする。
【００１７】
次に、上記構成の蓋３を容器本体２の上端開口２ａに嵌め込む方法として、押し込み式と押し回し式とのいずれかを選択できる。押し込み式では、蓋３側の凹み７を容器本体２側の突起８に位置合わせして、図２の矢印イで示す方向に蓋３を上から強く押し込むことにより、凹み７の底面７ａ部分が突起８の上面８ｃを乗り越えることで凹み７と突起８とが係合する（図１の状態）。つまり蓋３と容器本体２は共にプラスチック製であるため、その弾性変形によって凹み７の底面７ａ部分が突起８を越え易くなると共に、突起８の上面８ｃは先端程下り傾斜した誘い込み面１０であるため、蓋３を上から押し込むだけで凹み７を上方Ｇから突起８に係合させる動作がスムーズとなり、押し込み動作を比較的楽に且つ確実に行なうことができる。
【００１８】
一方、押し回し式では、蓋３側の凹み７を容器本体２側の突起８と突起８の間に位置合わせして、先ず図２の矢印ロで示す方向に蓋３を上から押し込んで凹み７を突起８間に挿入し、その後図２の矢印ハ又はニで示す方向に蓋３を少し回転させる。これにより、突起８は横方向Ｊ（図４）から凹み７に係合することができる。このとき、突起８は側方突部９を乗り越えて凹み７に係合するが、突起８の両側面８ａは先端にいく程平面視で薄肉となるように台形状に傾斜させてあるため、スムーズに乗り越えることができる。またこのとき突起８の両側面８ａの傾斜によって蓋３を回転させる外力が一定以下のときは突起８の回転を阻止でき、蓋３を回転させる外力が一定以上のときは突起８の回転を許容できる構造となる。しかも、この押し回し式では、最初に突起８と突起８の間に凹み７が挿入されるため、蓋３を僅かに回転させるだけで突起８と凹み７とが短い距離で係合するため、僅かな回転で係合可能となる。
【００１９】
このようにして、上記押し込み式又は押し回し式のいずれにおいても、蓋３は容器本体２に対して回転できないように且つ上に外れないように確実に係止することができるので、蓋３の周縁部３ｂと容器本体２の開口縁２ｂとの隙間Ｓはシール部材１３によって気密に保持された状態となる。しかも、蓋３を回転させる外力が一定以上を越えるまでは凹み７の両側方に設けた一対の側方突部９によって突起８の回転が阻止されるようになっているため、持ち運び時の振動等によって係合が解除されることがないものである。つまり、意識的に蓋３を外すための外力を加えない限り蓋３の気密状態を保持できるものである。しかも突起８の下面８ｂは水平面となっているため、凹み７の底面７ａに設けた抜け止め部１１が突起８の下面８ｂに確実に係合されることとなり、蓋３を上からの押し込みで係合させることができるものでありながら、係合後は蓋３が上に外れるのを確実に防止できる。従って、従来のねじ式のキャップのように持ち運び時の振動等によって僅かながらもねじが緩んで気密を維持できなくなるという問題もなくなる。
【００２０】
一方、蓋３を外すときは、蓋３を少し回転させるだけで、凹み７と突起８との係合が解除される。つまり、少し回転すると凹み７は突起８と突起８の間に移動して係合が外れるため、そのまま蓋３を上に引くだけでよい。つまり凹み７の左右両側に設けた側方突部９は、蓋３を回転させる外力が一定以上を越えたときには突起８が側方突部９を越えて回転できるようになっているので、意識的に蓋３を外すための外力を加えることで、蓋３を回して突起８と凹み７との係合を容易に解除できる。またこのとき突起８と凹み７とは短い距離で係合解除されるため、僅かな回転で係合解除が可能となる。従って、従来のような圧入式のキャップのように大きな力でキャップを引き抜く場合と比較して、容易に蓋３を取り外すことができ、使い易くなる。
【００２１】
次に上記構成の舞たけ菌床容器１Ａの使用例を説明する。菌床が充填された容器本体２の上端開口２ａを蓋３で被冠して塞いだ後、容器本体２を所定環境条件下に保たれた培養室内に置く。このときシール部材１３により蓋３の周縁部３ｂと容器本体２の開口縁２ｂとの隙間Ｓ（図１）が確実にシールされているため、外蓋４と蓋３との間の通気通路１２のみを通して容器本体２の内側と外気中との間で空気の交換を行いながら、その容器本体２に充填された菌床に菌糸は空気の供給される方向（上方Ｇ）に向かって成長していくこととなる。しかも蓋３の周縁部３ｂを気密に保持しつつ、中央部に設けた通気用開口３ａから豊富な空気を供給できるようになるので、菌糸の伸長及び栄養源の分解反応が円滑に進行し、良質な舞たけの発生を可能にする。ちなみに蓋３の周縁部３ｂに隙間Ｓがあると、この隙間Ｓに向かって空気が横向きに流れて、菌糸が横方向Ｓ（図１）に向かって傘状に開いてしまい、商品として出すのに好ましくなくなるが、本発明品の舞たけ菌床容器１Ａを用いれば、菌糸は上方Ｇに真っ直ぐ多数重なり合った状態で伸びて成長することができるので、商品価値がきわめて高いものとなる。しかも上方Ｇに多数重なり合った状態で成長することで栽培密度が高められ、単位面積当たりの収穫量を増大させることができる。
【００２２】
また、舞たけがある程度成長した後には蓋３を残して外蓋４のみを取り外す。これにより内部から成長してきた舞たけを外蓋４で阻害されることなく、生育させることができる。これにより、栽培途中で菌床を容器本体２内から取り出す手間が省け、作業の省力化を図ることができる。
【００２３】
ここで、前述のように、蓋３を上から押し込んで係合部５と被係合部６とを係合させる構造において、図１に示すように、蓋３の周縁部３ｂ内面に凹み７を設け、容器本体２の外周面２ｃの周方向Ｄに部分的に突起８を設け、突起８の上面８ｃに先端に向かって下り傾斜した誘い込み面１０を設けると共に突起８の少なくとも平面視で回転方向Ｅの両側面８ａを、先端にいく程平面視で薄肉となるようにそれぞれ傾斜させたことによって、凹み７と突起８とを位置合わせした状態で蓋３を上から押し込むと、凹み７は突起８の上面８ｃを越えて突起８と係合可能となる。このとき、突起８の上面８ｃは先端に向かって下り傾斜した誘い込み面１０となっているため蓋３を上から押し込むだけで凹み７を上から突起８に係合させる動作が比較的楽にできる。しかも凹み７の底面７ａに設けた抜け止め部１１が突起８の下面８ｂに係合するので、蓋３が上に外れるのを確実に防止でき、蓋３と容器本体２との気密保持が確実に行なわれる。また、凹み７の平面視で回転方向Ｅの両側方に、蓋３を回転させる外力が一定以上を越えない場合において凹み７に対する突起８の回転を阻止するための一対の側方突部９を設けると共に、凹み７の底面７ａに突起８の下面８ｂに当接して蓋３が上方Ｇに外れるのを阻止するための抜け止め部１１を設けたので、蓋３を外すときは、少し力を入れて回すだけで突起８と凹み７との係合を容易に解除できると共に、突起８の両側面８ａの傾斜によって蓋３を回転させる外力が一定以下のときは突起８の回転を阻止でき、蓋３を回転させる外力が一定以上のときは突起８の回転を許容できる構造とすることができるものである。
【００２４】
なお、係合機構の他例として、図１の例とは逆に、例えば図１０に示すように、凹み７を容器本体２側に設け、突起８を蓋３側に設けてもよいものである。この場合において、突起８の上面８ｃを水平面として、下面を先端に向かって上り傾斜した誘い込み面１０とし、一方、凹み７の天面を抜け止め部１１とすればよいが、この場合において、凹み７を容器本体２側に設けると容器本体２の内面に凹み７による凸形状が発生することがあるため、図１で示すように突起８は容器本体２側に設けられるのが望ましい。つまり、容器本体２の内面に凸形状を発生させないことで、容器本体２の内容積を広く確保できるという利点があり、そのうえ図１に示すように、蓋３の周縁部３ｂ内面に凹み７を設けた場合は、蓋３の外周面２ｃに凹み７による凸形状が発生し、この凸形状が蓋３の垂下片１４を補強する機能も兼ねることができるという利点もある。
【００２５】
なお、前記実施形態では、本発明品の蓋付き容器１の一例として舞たけの栽培に用いる舞たけ菌床容器１Ａを例示したが、舞たけ以外のしいたけ、キノコ類の栽培に用いることは勿論、さらに広げて一般に気密を必要とする蓋付き容器の分野に広く適用可能であるのは言うまでもない。
【００２６】
【発明の効果】
上述のように請求項１記載の発明にあっては、上端が開口したプラスチック製の容器本体と、該容器本体の上端開口に着脱自在に被冠されるプラスチック製の蓋とからなる蓋付き容器であって、蓋の周縁部を容器本体の開口縁に上から嵌め込んだ状態で、蓋の周縁部内面に設けた係合部を容器本体の外周面の周方向に部分的に設けた被係合部に係合させることで、蓋の周縁部と容器本体の開口縁との隙間が気密保持されると共に、蓋の回転により係合部と被係合部との係合が解除される構成となっているので、蓋を容器本体の開口縁に嵌め込むことで係合部と被係合部とが係合して蓋を容器本体から外れないように確実に係止させることができ、これにより蓋の周縁部と容器本体の開口縁との隙間をシール部材等によって気密保持可能となる。また蓋を回転させるだけで係合部と被係合部との係合が解除されるため、従来のような圧入式のキャップのように大きな力でキャップを引き抜く場合と比較して、蓋の取り外しが楽になり、使い勝手が良好となる。
【００２７】
また請求項２記載の発明は、請求項１記載の効果に加えて、係合部と被係合部のいずれか一方が凹みからなり、いずれか他方が該凹みに嵌り込む突起からなり、突起の少なくとも平面視で回転方向の両側面を、先端にいく程平面視で薄肉となるようにそれぞれ傾斜させたので、傾斜によって蓋を回転させる外力が一定以下のときは突起の回転を阻止でき、蓋を回転させる外力が一定以上のときは突起の回転を許容できる構造とすることができる。
【００２８】
また請求項３記載の発明は、請求項２記載の効果に加えて、凹みの平面視で回転方向の両側方に、蓋を回転させる外力が一定以上を越えない場合において突起の回転を阻止するための一対の側方突部を設けたので、持ち運び時の振動等によって突起が凹みから外れるのを防止できる。つまり、意識的に蓋を外すための外力を加えない限り凹みの両側方に設けた一対の側方突部によって突起の回転が阻止され、これにより蓋の気密状態が保持されるものであり、一方、意識的に外力を加えて蓋を回すことにより、突起は側方突部を越えて凹みから外れることができ、蓋の係合を解除できるものである。
【図面の簡単な説明】
【図１】本発明の実施形態の一例を示す断面図である。
【図２】同上の蓋を嵌め込む場合の分解斜視図である。
【図３】同上の蓋を嵌め込んだ後の斜視図である。
【図４】同上の凹みと突起の拡大斜視図である。
【図５】同上の蓋の左半分を平面図とし、右半分を底面図として表わした図である。
【図６】図５のＡ−Ａ線断面図である。
【図７】図５のＢ−Ｂ線断面図である。
【図８】同上の容器本体の左半分を平面図とし、右半分を底面図として表わした図である。
【図９】図８のＣ−Ｃ線断面図である。
【図１０】他の実施形態の説明図である。
【符号の説明】
１　蓋付き容器
２　容器本体
２ａ　上端開口
２ｂ　開口縁
２ｃ　外周面
３　蓋
３ｂ　周縁部
５　係合部
６　被係合部
７　凹み
８　突起
８ａ　側面
９　側方突部
Ｄ　周方向
Ｅ　回転方向
Ｓ　隙間
【図１】
2004123172.tif 000003
【図２】
2004123172.tif 000004
【図３】
2004123172.tif 000005
【図４】
2004123172.tif 000006
【図５】
2004123172.tif 000007
【図６】
2004123172.tif 000008
【図７】
2004123172.tif 000009
【図８】
2004123172.tif 000010
【図９】
2004123172.tif 000011
【図１０】
2004123172.tif 000012